(57)【要約】【課題】テレビのチャネル選択操作と同様な操作方法でインターネットを簡単に利用することができる簡単操作のテレビも見ることができるインターネットテレビジョン装置の提供。【解決手段】インターネットテレビジョンシステム１は、テレビジョンシステム２、該テレビジョンシステム２の操作制御を行うためのＴＶ／ＰＣ共用リモコン３、ＰＣ４、該ＰＣ４とネットワーク網５を介して接続される各種のサーバ６を備えている。機能コード表示部４１が表示されているＷｅｂサイト４０上にて機能コード指示ボタン１８を押すと、リモコン操作専用Ｗｅｂ３０へと遷移する。リモコン操作専用Ｗｅｂ３０では、数値コード指示ボタン１７の番号に対応付けられた下位のＷｅｂサイトが階層的に表示され、対応する番号の数値コード指示ボタン１７を押すことで下位のＷｅｂサイト３１Ａ、３１Ｂへと移動する。【選択図】図３
2008187380.tif 000002
【特許請求の範囲】
【請求項１】
テレビ放送を受信するＴＶ動作モードとインターネット等のネットワークに接続可能なＰＣ動作モードと、これらＴＶ動作モードとＰＣ動作モードとが操作可能な共用のリモコン装置と、前記ＴＶ動作モードとＰＣ動作モードにおいてそれぞれの映像又は画像が表示可能なモニタとを備え、インターネット等のネットワークに接続可能なコンピュータ機能とを備えたテレビも見ることができるインターネットテレビジョンシステムであって、前記共用リモコン装置は、前記ＴＶ動作モードに割り当てたＴＶ動作モードボタンと、ＰＣ動作モードに割り当てたＰＣ動作モードボタンと、複数の数値コード指示ボタンと、特定の機能コード指示ボタンとを少なくとも備え、前記ＴＶ動作モードにおいて、前記数値コード指示ボタンが押された場合には、その数値コード指示ボタンに対応したチャンネルの放送番組を前記モニタに表示し、前記ＰＣ動作モードにおいて、前記機能コード指示ボタンが押された場合には、予め数値コード指示ボタンに対応して番号付けられた複数のＷｅｂページが階層的に表されたリモコン操作専用サービスに対応したＷｅｂページを表示し、その数値コード指示ボタンの番号を選択した際、下位のＷｅｂページを表示可能したことを特徴とするインターネットテレビジョンシステム。
【請求項２】
少なくとも、前記リモコン操作専用サービスに対応したＷｅｂサイトには、少なくともリモコン操作専用サービスを示す文字、記号または図案化されたシンボルマークなどの機能コード表示部を備え、その表示部を表示したＷｅｂサイト上にて前記機能コード指示ボタンが押された場合には、予め数値コード指示ボタンに対応して番号付けられた複数のＷｅｂページが階層的に表されたリモコン操作専用Ｗｅｂページへと遷移可能とすることを特徴とする請求項１記載のインターネットテレビジョンシステム。
【請求項３】
前記リモコン操作専用サービスに対応したＷｅｂサイト上に示された機能コード表示部は、キーボードやマウスなどの一般の操作デバイスでクリックしたときも前記リモコン操作専用Ｗｅｂページへと遷移可能であることを特徴とする請求項２記載のインターネットテレビジョンシステム。
【発明の詳細な説明】
【技術分野】
【０００１】
本発明は、パソコン等の操作に不慣れの者であっても、簡単に操作制御をすることが可能でテレビも見ることができるインターネットテレビジョンシステムに関するものであり、特に、リモコン装置に配置された数値コード指示ボタンと幾つかの機能コード指示ボタンの押下操作のみでテレビ機能とパソコン機能を制御し、テレビの視聴と、インターネット経由での各種のホーム頁コンテンツの閲覧を可能とする簡単操作のインターネットテレビジョンシステムを提供するものである。
【背景技術】
【０００２】
最近、インターネットとテレビの融合が多く話題とされている。例えば、特許文献１では、インターネット接続機能を備えたテレビに関し、リモコンにＵＲＬやＩＰアドレス（Ｉｎｔｅｒｎｅｔ  Ｐｒｏｔｏｃｏｌ  Ａｄｄｒｅｓｓ）等、Ｗｅｂページを特定するための識別子を記憶させ、リモコンに設けられたモード変換キー操作することによって、リモコンの表示画面に記憶されているＵＲＬを取得し、取得したＵＲＬの一覧とポインタとを表示させ、ユーザが望むＵＲＬにポインタを合わせた状態で決定キーを操作することによって、ＵＲＬにて識別されるＷｅｂサイトにアクセスし、Ｗｅｂサイトの画像等のコンテンツを表示画面に表示するリモコン及びテレビが提案されている。
【０００３】
また、特許文献２には、外部Ｗｅｂサーバの各放送局のサイト、あるいは汎用検索サイトに、番組特定情報とＵＲＬの情報管理テーブルを設けると共に、放送受信装置に各放送局のサイトあるいは汎用検索サイトのＵＲＬを記憶させておき、放送受信装置で番組を視聴中に、番組のＷｅｂページを閲覧する際、記憶しているＵＲＬを読み出して、視聴している番組の放送局のサイトまたは汎用検索サイトにアクセスすると共に、視聴している番組を特定する情報を出力して、サイトの情報管理テーブルに基づいて、その番組のＵＲＬを取得して、Ｗｅｂページを閲覧するように構成したシステムが提案されている。さらに、特許文献３には、リモコンの操作に不慣れな人にとっても、インターネットへ簡単にアクセスすることを目的とし、リモコンの画面上にリモコンのテンキーと同形状のキーイメージを表示させ、そのキーイメージのそれぞれのキーに表示されている選択指示内容に対応するテンキーのキーを操作することで、キーイメージのそれぞれのキーの選択指示内容に対応する階層キーイメージを表示させ、それぞれの階層キーイメージのそれぞれのキーの選択指示内容をテンキーのキーの操作によって選択できるよう構成したリモコンのテンキーのインターフェイス装置が提案されている。
【０００４】
【特許文献１】特開２００３−１４３４３４号公報
【特許文献２】特開２００５−２９５２５７号公報
【特許文献３】特開２００３−９１３５４号公報
【発明の開示】
【発明が解決しようとする課題】
【０００５】
前記特許文献１は、リモコンに記憶されたＵＲＬの一覧を選択して決定することから、例えば出荷時においてリモコンにＵＲＬを記憶にするにしても、特別なパソコン操作やパソコンの知識を有しない利用者は、記憶されたＵＲＬのサイトにしかアクセスできず、利用者が望むサイトに簡単にアクセスすることができず、また、単にＵＲＬといった記号群の一覧を表示し、その中からＵＲＬを選択する構成では、ＵＲＬだけで利用者が望むサイトであるか判別しにくい面がある。また、特許文献２は、視聴している番組の放送局のサイトまたは汎用検索サイトにアクセスし、視聴している番組のＷｅｂページを閲覧することから、視聴者がＵＲＬを選択するといった手間をかけるとこなく、Ｗｅｂページを閲覧することができるものの、結局、利用者が視聴する番組に関連したＷｅｂページしか閲覧することができないことから、番組に関連しないＷｅｂページを閲覧するには、結局、パソコン操作やパソコンの知識が必要である。この点に対し、特許文献３は、リモコンの画面上にリモコンのテンキーと同形状のキーイメージを表示させ、そのキーイメージのそれぞれのキーに表示されている選択指示内容に対応するテンキーのキーを操作することで、キーイメージのそれぞれのキーの選択指示内容に対応する階層イメージを表示させることによって、リモコンのテンキーの操作によりＷｅｂページの閲覧や情報の検索や伝達を行うことができる。しかし、リモコンその画面にキーイメージを表示させる際、インターネット上の所定のホームページへのアクセスした際、その情報をリモコンの記憶部を記憶し、その記憶部を記憶された情報に基づいてキーイメージを作成してリモコンの画面にキーイメージを表示させる必要があるため、構造が複雑であるとともに、リモコンの画面にキーイメージを表示させることから、スペース的に表示内容も制限を受け、自ずと情報量も少なく、膨大なインターネットの情報をカバーすることができない面もある。
【０００６】
そこで、本発明は、パソコン操作に不慣れな数多くの中高齢者を中心とする潜在利用者が多く集まる場所、例えば公共機関、病院、老人介護施設、スーパーやデパートなどの大型商業施設等の施設環境に、その機関や施設が管理するネットワークに接続された簡単操作のテレビも見ることができるインターネットテレビジョンシステムを設置し、これらの潜在利用者がリモコンによるテレビの操作と同じ感覚で、簡単にインターネットテレビジョンシステムを操作することで、インターネット経由での情報サービスシステムの利用率向上の実現を図ることを目的とする。
【課題を解決するための手段】
【０００７】
本発明の請求項１のインターネットテレビジョンシステムは、テレビ放送を受信するＴＶ動作モードとインターネット等のネットワークに接続可能なＰＣ動作モードと、これらＴＶ動作モードとＰＣ動作モードとが操作可能な共用のリモコン装置と、前記ＴＶ動作モードとＰＣ動作モードにおいてそれぞれの映像又は画像が表示可能なモニタとを備え、インターネット等のネットワークに接続可能なコンピュータ機能とを備えたテレビも見ることができるインターネットテレビジョンシステムであって、前記共用リモコン装置は、前記ＴＶ動作モードに割り当てたＴＶ動作モードボタンと、ＰＣ動作モードに割り当てたＰＣ動作モードボタンと、複数の数値コード指示ボタンと、特定の機能コード指示ボタンとを少なくとも備え、前記ＴＶ動作モードにおいて、前記数値コード指示ボタンが押された場合には、その数値コード指示ボタンに対応したチャンネルの放送番組を前記モニタに表示し、前記ＰＣ動作モードにおいて、前記機能コード指示ボタンが押された場合には、予め数値コード指示ボタンに対応して番号付けられた複数のＷｅｂページが階層的に表されたリモコン操作専用サービスに対応したＷｅｂページを表示し、その数値コード指示ボタンの番号を選択した際、下位のＷｅｂページを表示可能したことを特徴とする。
【０００８】
本発明の請求項２のインターネットテレビジョンシステムは、請求項１記載のインターネットテレビジョンシステムにおいて、少なくとも、前記リモコン操作専用サービスに対応したＷｅｂサイトには、少なくともリモコン操作専用サービスを示す文字、記号または図案化されたシンボルマークなどの機能コード表示部を備え、その表示部を表示したＷｅｂサイト上にて前記機能コード指示ボタンが押された場合には、予め数値コード指示ボタンに対応して番号付けられた複数のＷｅｂページが階層的に表されたリモコン操作専用Ｗｅｂページへと遷移可能とすることを特徴とする。
【０００９】
本発明の請求項３のインターネットテレビジョンシステムは、請求項２記載のインターネットテレビジョンシステムにおいて、前記リモコン操作専用サービスに対応したＷｅｂサイト上に示された機能コード表示部は、キーボードやマウスなどの一般の操作デバイスでクリックしたときも前記リモコン操作専用Ｗｅｂページへと遷移可能であることを特徴とする。
【発明の効果】
【００１０】
本発明の請求項１のインターネットテレビジョンシステムによれば、テレビ放送を受信するＴＶ動作モードとインターネット等のネットワークに接続可能なＰＣ動作モードと、これらＴＶ動作モードとＰＣ動作モードとが操作可能な共用のリモコン装置と、前記ＴＶ動作モードとＰＣ動作モードにおいてそれぞれの映像又は画像が表示可能なモニタとを備え、インターネット等のネットワークに接続可能なコンピュータ機能とを備えたテレビも見ることができるインターネットテレビジョンシステムであって、前記共用リモコン装置は、前記ＴＶ動作モードに割り当てたＴＶ動作モードボタンと、ＰＣ動作モードに割り当てたＰＣ動作モードボタンと、複数の数値コード指示ボタンと、特定の機能コード指示ボタンとを少なくとも備え、前記ＴＶ動作モードにおいて、前記数値コード指示ボタンが押された場合には、その数値コード指示ボタンに対応したチャンネルの放送番組を前記モニタに表示し、前記ＰＣ動作モードにおいて、前記機能コード指示ボタンが押された場合には、予め数値コード指示ボタンに対応して番号付けられた複数のＷｅｂページが階層的に表されたリモコン操作専用サービスに対応したＷｅｂページを表示し、その数値コード指示ボタンの番号を選択した際、下位のＷｅｂページを表示可能したものであるから、ＴＶ動作モードにおいて、チャンネルボタンによる数値コード指示ボタンであっても、Ｗｅｂサイトの閲覧において、ある任意のＷｅｂサイトから任意のＷｅｂサイトへと移動するための指示信号として扱うことができる。例えば、上位の表示画面における各数値コード指示ボタン（例えば、チャンネル１）はインターネット等のニュースに関連するポータルサイトの意味合いに対応付けされている場合には、その表示画面が下位の表示画面に変わった場合は、各数値コード指示ボタン（例えば、チャンネル１、２、３・・・）がより下位のインターネット等の各新聞社のポータルサイトに対応付けられていることにより、希望のサイトに簡便に到達できるものである。これにより、パソコン操作の不慣れなユーザにあっても、テレビのチャネル選択操作と同様な操作方法でインターネットを簡単に利用することができる。
【００１１】
本発明の請求項２のインターネットテレビジョンシステムによれば、請求項１記載のインターネットテレビジョンシステムにおいて、少なくとも、前記リモコン操作専用サービスに対応したＷｅｂサイトには、少なくともリモコン操作専用サービスを示す文字、記号または図案化されたシンボルマークなどの機能コード表示部を備え、その表示部を表示したＷｅｂサイト上にて前記機能コード指示ボタンが押された場合には、予め数値コード指示ボタンに対応して番号付けられた複数のＷｅｂページが階層的に表されたリモコン操作専用Ｗｅｂページへと遷移可能とするものであるから、パソコン操作に慣れたユーザは、マウスなどの操作デバイスを用いてインターネットの閲覧を行い、他のＷｅｂサイトへ遷移するには、マウスによるクリック操作を行うことが一般的であり、このような、マウス操作に慣れたユーザは各数値コード指示ボタンによる操作よりむしろマウスによる操作の方が取り扱い易い。このため、Ｗｅｂサイト上にて機能コード表示部を表示すれば、マウスによるクリック操作にも数値コード指示ボタンによるリモコン操作にも対応でき、特に、各種多様なジャンルをカバーするポータルサイトにおいて、マウスによるクリック操作に慣れたユーザは、マウスによるユーザが自ら望むＷｅｂサイトをクリック操作することで下位のＷｅｂサイトへと移動できる。一方、リモコン操作を希望するユーザは、機能コード指示ボタンを押すことによって、リモコン操作専用Ｗｅｂへと遷移し、対応する数値コード指示ボタンを押すことで下位のＷｅｂサイトへと移動し、最終的に目的とするＷｅｂサイトへと移動できる。
【００１２】
本発明の請求項３のインターネットテレビジョンシステムによれば、請求項２記載のインターネットテレビジョンシステムにおいて、前記リモコン操作専用サービスに対応したＷｅｂサイト上に示された機能コード表示部は、キーボードやマウスなどの一般の操作デバイスでクリックしたときも前記リモコン操作専用Ｗｅｂページへと遷移可能であるから、マウスと数値コード指示ボタンとの併用が可能となる。
【発明を実施するための最良の形態】
【００１３】
以下、本発明の実施の形態を、以下、図面を参照して説明する。なお、以下の実施例は本発明の具体例に過ぎず、本発明が以下の実施形態のみに限定されるものではない。
【００１４】
まず、本発明のインターネットテレビジョンシステム１の構成は図１に示すとおり、テレビジョンシステム２、該テレビジョンシステム２の操作制御を行うためのＴＶ／ＰＣ共用リモコン３、ＰＣ４、該ＰＣ４とネットワーク網５を介して接続される各種のサーバ６などから構成される。
【００１５】
ＴＶ／ＰＣ共用リモコン３からテレビジョンシステム２に送信される操作制御信号３Ａはテレビジョンシステム２に設けたデータ受光部１１で受信する。一方、ＴＶ／ＰＣ共用リモコン３からＰＣ４に送信される操作制御信号３ＢはＰＣ４に設けた受光部１２で受信を行い、ＰＣ４の出力である映像信号は図示しないケーブルを介してテレビジョンシステム２に外部入力信号として出力され、モニタ１０に表示される。
【００１６】
次にＴＶ／ＰＣ共用リモコン３について説明する。ＴＶ／ＰＣ共用リモコン３は、テレビジョンシステム２の制御を行うＴＶ動作モードボタン１５とＰＣ動作モードに対して割り当てたＰＣ動作モードボタン１６及びＴＶ動作モードの選択時にチャンネルを切り換える複数の数値コード指示ボタン１７と、特定の機能コード指示ボタン１８、電源をオン・オフする電源ボタン１９、音量の増減制御を行うアップ・ダウンボタン２０、チャンネル切換を行うアップ・ダウンボタン２１などを備える。
【００１７】
ＴＶ動作モードボタン１５をオンすると、ＴＶ／ＰＣ共用リモコン３からテレビジョンシステム２の操作制御信号４１が送信され、動作モードとしてテレビが選択され、テレビジョンシステム２の制御を行う。このＴＶ動作モードでは、数値コード指示ボタン１７（例えば０〜１６）を押下することで、テレビジョンシステム２に対するチャネル番号選択指示の信号を送信し、チャネルの切換えを行う。一方、ＰＣ動作モードボタン１６をオンすると、ＴＶ／ＰＣ共用リモコン３からＰＣ４に操作制御信号３Ｂが送信され、動作モードとしてＰＣ４が選択され、ＰＣ４の起動画面がモニタ１０に出力される。ＰＣ４の起動時においては、図示しないキーボードやマウスなどの操作デバイスを用いてＰＣ４に付帯するアプリケーションが実行され、アプリケーションに応じた画面がモニタ１０に表示される。また、ＰＣ４に付帯するブラウザを立ち上げてインターネットの閲覧も可能であり、この際、ＰＣ操作に慣れているユーザなどは、キーボードやマウスを用いてインターネットの閲覧が可能であり、検索や登録したＷｅｂページなど、ユーザが望むＷｅｂページへと移ることは容易である。しかし、パソコン操作に不慣れな数多くの中高齢者や高齢者、所謂、デジタルデバイドの問題で自らの操作でＷｅｂページへと移動できないユーザを対象としてＴＶ／ＰＣ共用リモコン３を操作してＷｅｂページの検索や閲覧などを簡単に行うように機能コード指示ボタン１８を設ける。
【００１８】
図２に示すように、ＰＣ動作モードにおいて、前記機能コード指示ボタン１８が押された場合には、リモコン操作専用サービスに対応したＷｅｂページ３０（以下、リモコン操作専用Ｗｅｂと称す）を表示する。リモコン操作専用Ｗｅｂ３０は、予め数値コード指示ボタン１７に対応して番号付けられた複数のＷｅｂページ３０Ａ、３０Ａ、３０Ａ・・・・が階層的に表され、対応する数値コード指示ボタン１７の番号を押すことで、数値コード指示ボタン１７に対応する下位のＷｅｂサイトへと遷移する。
【００１９】
すなわち、本実施例において、極めて多種、多岐、多数のインターネット等の無数のＷｅｂサイトを、一つの表示画面（リモコン操作専用Ｗｅｂ３０）の中に例えばジャンルごとにチャンネル番号（例えば、チャンネル１、２、３・・・）に対応して表示し、しかもその表示を階層的に構成し、下位のＷｅｂサイトに変えた場合には、各数値コード指示ボタン（例えば、チャンネル１、２、３・・・）がより下位のＷｅｂサイト３１Ａ、３１Ｂ・・・に対応付けされている。これにより、同じチャンネルボタンによる数値コード指示ボタン１７であっても、Ｗｅｂサイトの閲覧において、ある任意のＷｅｂサイトから任意のＷｅｂサイトへと移動するための指示信号として扱うことができるものである。例えば、上位の表示画面における各数値コード指示ボタン１７（例えば、チャンネル１）はインターネット等のニュースに関連するポータルサイトの意味合いに対応付けされている場合には、その表示画面が下位の表示画面に変わった場合は、各数値コード指示ボタン１７（例えば、チャンネル１、２、３・・・）がより下位のインターネット等の各新聞社のポータルサイトに対応付けられていることにより、希望のサイトに簡便に到達できるものである。
【００２０】
また、図３に示すように、前記リモコン操作専用サービスに対応したＷｅｂサイト４０には、Ｗｅｂサイト４０上にてリモコン操作専用サービスを示す文字、記号または図案化されたシンボルマークなどの機能コード表示部４１が表示され、この機能コード表示部４１が表されたＷｅｂサイト４０上にて前記機能コード指示ボタン１８を押すと、リモコン操作専用Ｗｅｂ３０へと遷移する。リモコン操作専用Ｗｅｂ３０では、前述した通り、数値コード指示ボタン１７の番号に対応するボタンを押すことで、その番号に対応付けられた下位のＷｅｂサイト３１Ａ、３１Ｂ・・・と遷移する。なお、パソコン操作に慣れたユーザは、マウスなどの操作デバイスを用いてインターネットの閲覧を行い、他のＷｅｂサイトへ遷移するには、マウスによるクリック操作を行うことが一般的である。このような、マウス操作に慣れたユーザは各数値コード指示ボタン１７による操作よりむしろマウスによる操作の方が取り扱い易い。このため、Ｗｅｂサイト４０上にて機能コード表示部４１を表示すれば、マウスによるクリック操作にも数値コード指示ボタン１７によるリモコン操作にも対応でき、特に、各種多様なジャンルをカバーするポータルサイトにおいて、マウスによるクリック操作に慣れたユーザは、マウスによるユーザが自ら望むＷｅｂサイトをクリック操作することで下位のＷｅｂサイト３１Ａ、３１Ｂへと移動（ａ、ａ１・・・・）できる。一方、リモコン操作を希望するユーザは、機能コード指示ボタン１８を押すことによって、リモコン操作専用Ｗｅｂ３０へと遷移し、対応する数値コード指示ボタン１７を押すことで下位のＷｅｂサイト３１Ａ、３１Ｂへと移動し、目的とするＷｅｂサイトへと移動できる（ｂ、ｂ１・・・・）。また、例えば、移動先のＷｅｂサイトにて機能コード表示部４１が表示されている場合、再度、機能コード指示ボタン１８を押すことによって、移動先のＷｅｂサイトにて、当該Ｗｅｂサイトに対応するリモコン操作専用Ｗｅｂ３０が表示され、同様な手順でリモコン操作することでより多種多様なＷｅｂサイトの閲覧が可能である。また、リモコン操作専用Ｗｅｂ３０には、前に戻る（例えば、チャンネル１３）、前に進む（例えば、チャンネル１４）、トップに行く（例えば、チャンネル１６）などの項目３０Ｂが数値コード指示ボタン１７の番号と対応付けられており、数値コード指示ボタン１７の番号に対応するボタンを押すことで、その番号に対応付けられた指示に応じて上位のＷｅｂサイトと遷移する。また、Ｗｅｂサイト４０上に表示される機能コード表示部４１は、マウスでクリックすることによってもリモコン操作専用Ｗｅｂ３０へと遷移することができる。これにより、リモコン操作専用Ｗｅｂ３０へと遷移した以降、数値コード指示ボタン１７でのＷｅｂサイトの閲覧が可能となり、マウスと数値コード指示ボタン１７との併用が可能である。
【００２１】
また、前記リモコン操作専用サービスは、Ｗｅｂサイトに限らず、例えば一般のテレビ放送、行政サービス放送、あるは病院やホテルなどの限られた施設内で放送などにおいて、例えば図３に示すように、テレビ画面上にて機能コード表示部４１を表示することによって、リモコン操作専用Ｗｅｂ３０へと移動し、例えば各種のアンケートや集計、クイズなどの回答などのリアルタイムな情報の交換などを行うことも可能である。
【００２２】
以上、本実施例について詳述したが、本発明は前記実施例に限定されるものではなく、本発明の要旨の範囲内で種々の変形実施は可能である。例えば、ＴＶ／ＰＣ共用リモコン３の構成や数値コード指示ボタン１７の数などは適宜選定すればよい。
【図面の簡単な説明】
【００２３】
【図１】本発明のインターネットテレビジョンシステムの概略を示す構成図である。
【図２】同上、インターネットテレビジョンシステムのモニタ画面へ表示する項目選択操作時の概略説明図である。
【図３】同上、Ｗｅｂサイトの移動の手順を示す説明図である。
【図４】同上、テレビシステムにおけるＷｅｂサイトの移動の手順を示す説明図である。
【符号の説明】
【００２４】
１  インターネットテレビジョンシステム
２  テレビジョンシステム
３  ＴＶ／ＰＣ共用リモコン
４  ＰＣ
５  インターネット網
６  サーバ
１０  モニタ
１５  ＴＶ動作モードボタン
１６  ＰＣ動作モードボタン
１７  数値コード指示ボタン
１８  機能コード指示ボタン
３０  リモコン操作専用Ｗｅｂ
３１Ａ、３１Ｂ  下位のＷｅｂサイト
４１  機能コード表示部
【図１】
2008187380.tif 000003
【図２】
2008187380.tif 000004
【図３】
2008187380.tif 000005
【図４】
2008187380.tif 000006